(57)【要約】【課題】売上合計金額の全額または一部金額についてのクレジット決済に際し、顧客側からクレジット支払い金額に応じたクレジット手数料を徴収する。【解決手段】売上合計金額についての一部金額をクレジット決済する場合には、売上合計金額についての一部金額が支払い金額として指定されると（Ｓ２５）、当該支払い金額についてのクレジット手数料を算出し（Ｓ２７）、支払い金額とクレジット手数料とを加算したクレジット支払い金額に基づいてクレジット決済を実行する（Ｓ３５）。また、クレジット支払い金額が、売上合計金額とクレジット手数料とを加算した額よりも少ない場合には（Ｓ３６のＹ）、その差額について現金決済を実行する（Ｓ２１）。これにより、売上合計金額の全額または一部金額についてのクレジット決済に際し、顧客側からクレジット支払い金額に応じたクレジット手数料を徴収することができる。【選択図】　　　　図８
2004030095.tif 000002
【特許請求の範囲】
【請求項１】
売上商品に係るデータ入力に基づいて算出した売上合計金額に対する決済について、現金による現金決済とクレジットカードによるクレジット決済とを選択的に実行可能な商品販売データ処理装置において、
クレジット決済に際し、前記売上合計金額についての全額あるいは一部金額を支払い金額として指定させるクレジット決済金額指定手段と、
このクレジット決済金額指定手段により指定された支払い金額についてのクレジット手数料を算出する手数料算出手段と、
この手数料算出手段により算出された前記クレジット手数料を前記クレジット決済金額指定手段により指定された支払い金額に加算してクレジット支払い金額とする手数料加算手段と、
この手数料加算手段によるクレジット支払い金額に基づいてクレジット決済を実行するクレジット決済手段と、
このクレジット決済手段により決済されたクレジット支払い金額が、前記売上合計金額と前記クレジット手数料とを加算した額よりも少ない場合には、その差額について現金決済を実行するクレジット差額決済手段と、
を備えることを特徴とする商品販売データ処理装置。
【請求項２】
前記手数料算出手段におけるクレジット手数料は、前記クレジット決済金額指定手段により指定された支払い金額に対して手数料レートを乗算して算出することを特徴とする請求項１記載の商品販売データ処理装置。
【請求項３】
前記手数料レートを可変自在に設定可能とするレート設定手段を備えることを特徴とする請求項２記載の商品販売データ処理装置。
【請求項４】
売上商品に係るデータ入力に基づいて算出した売上合計金額に対する決済について、現金による現金決済とクレジットカードによるクレジット決済とを選択的に実行可能な商品販売データ処理装置が備えるコンピュータを制御するプログラムであって、
クレジット決済に際し、前記売上合計金額についての全額あるいは一部金額を支払い金額として指定させるクレジット決済金額指定機能と、
このクレジット決済金額指定機能により指定された支払い金額についてのクレジット手数料を算出する手数料算出機能と、
この手数料算出機能により算出された前記クレジット手数料を前記クレジット決済金額指定手段により指定された支払い金額に加算してクレジット支払い金額とする手数料加算機能と、
この手数料加算機能によるクレジット支払い金額に基づいてクレジット決済を実行するクレジット決済機能と、
このクレジット決済機能により決済されたクレジット支払い金額が、前記売上合計金額と前記クレジット手数料とを加算した額よりも少ない場合には、その差額について現金決済を実行するクレジット差額決済機能と、
を前記コンピュータに実行させることを特徴とするプログラム。
【発明の詳細な説明】
【０００１】
【発明の属する技術分野】
本発明は、スーパーマーケットやコンビニエンスストア等の店舗で使用されるＰＯＳ（Ｐｏｉｎｔ　ｏｆ　Ｓａｌｅｓ：販売時点管理）端末やＥＣＲ（Ｅｌｅｃｔｒｉｃ　Ｃａｓｈ　Ｒｅｇｉｓｔｅｒ）等の商品販売データ処理装置及びプログラムに関する。
【０００２】
【従来の技術】
近年、店舗における販売処理に際しての決済手法の一つに、クレジット決済処理がある。クレジット決済処理とは、店舗に設置されたＰＯＳ（Ｐｏｉｎｔ　ｏｆ　Ｓａｌｅｓ：販売時点管理）端末等での販売登録（売上登録）処理に基づく販売金額について、現金ではなくクレジット会社が発行したクレジットカードによる決済処理である。クレジット決済処理の実行により、販売金額分の金銭は、クレジット会社が顧客に代わって店舗に立て替え払いされ、顧客に融資されたことと同等な状況となる。
【０００３】
【発明が解決しようとする課題】
ところで、クレジット決済処理を行なう場合、原則的には、顧客側はクレジット手数料を負担せずに、販売店側がクレジット手数料を負担するような仕組みになっている。ただし、例外的に、販売店側がクレジット手数料を顧客側から徴収することもある。
【０００４】
しかしながら、このように販売店側がクレジット手数料を顧客側から徴収する場合、顧客がクレジットカードで支払いを行なうのか現金で支払うのかは支払い業務を行なうまで明らかにされず、また、クレジットカードで支払う金額も販売金額について全額支払いか一部支払いかで変わってくるために、支払い金額に対するクレジット手数料を事前に計算できないという問題がある。
【０００５】
本発明は、売上合計金額の全額または一部金額についてのクレジット決済に際し、顧客側からクレジット支払い金額に応じたクレジット手数料を徴収することができる商品販売データ処理装置及びプログラムを提供することを目的とする。
【０００６】
【課題を解決するための手段】
本発明は、売上商品に係るデータ入力に基づいて算出した売上合計金額に対する決済について、現金による現金決済とクレジットカードによるクレジット決済とを選択的に実行可能な商品販売データ処理装置（例えば、ＰＯＳ端末やＥＣＲ等）において、クレジット決済に際し、前記売上合計金額についての全額あるいは一部金額を支払い金額として指定させるクレジット決済金額指定手段と、このクレジット決済金額指定手段により指定された支払い金額についてのクレジット手数料を算出する手数料算出手段と、この手数料算出手段により算出された前記クレジット手数料を前記クレジット決済金額指定手段により指定された支払い金額に加算してクレジット支払い金額とする手数料加算手段と、この手数料加算手段によるクレジット支払い金額に基づいてクレジット決済を実行するクレジット決済手段と、このクレジット決済手段により決済されたクレジット支払い金額が、前記売上合計金額と前記クレジット手数料とを加算した額よりも少ない場合には、その差額について現金決済を実行するクレジット差額決済手段と、を備える。
【０００７】
したがって、売上合計金額についての一部金額をクレジット決済する場合には、売上合計金額についての一部金額が支払い金額として指定されると、当該支払い金額についてのクレジット手数料が算出され、支払い金額とクレジット手数料とを加算したクレジット支払い金額に基づいてクレジット決済が実行される。また、クレジット支払い金額が、売上合計金額とクレジット手数料とを加算した額よりも少ない場合には、その差額について現金決済が実行される。これにより、売上合計金額の全額についてのクレジット手数料のみならず、売上合計金額の一部金額についてのクレジット手数料の算出も可能になるとともに、差額分については現金決済が可能になる。
【０００８】
【発明の実施の形態】
本発明の実施の一形態を図１ないし図８に基づいて説明する。本実施の形態は、商品販売データ処理装置であるＰＯＳ（Ｐｏｉｎｔ　ｏｆ　Ｓａｌｅｓ：販売時点管理）端末に対し、クレジット決済に用いられるクレジットカードに記憶されたデータを読み取り可能なカード処理端末を接続したものである。
【０００９】
ここで、図１はカード処理端末２０を接続したＰＯＳ端末１を概略的に示す外観斜視図である。図１に示すように、ＰＯＳ端末１は、ドロワ２上に載置されている。このＰＯＳ端末１には、各種のキーが集合するキーボード３、図示しない鍵によってＰＯＳ端末１の動作モードを登録モード・設定モード・精算モード・点検モード等の各業務モードに切り替え設定するためのコントロールキー４、プリンタ５（図３参照）によって印字される取引レシート等を発行するレシート発行口６及びジャーナル窓７が設けられている。また、ＰＯＳ端末１の右側上方には、オペレータ側の表示部として機能するディスプレイ８が配置され、このディスプレイ８の近傍には客側の表示部として機能する客側ディスプレイ９が立設されている。さらに、このＰＯＳ端末１には、商品に付される商品コードを光学的に読み取るためのバーコードスキャナ１０が接続されている。
【００１０】
図２にキーボード３のキー配置を示す。このキーボード３には、商品区分登録を行なうための部門キー３ａ、商品コード、販売個数、金額、日時等を入力するための「０」から「９」までの置数キー３ｂ、売上処理において現金による決済を宣言するための預／現計キー３ｃ、売上合計金額の算出を宣言するための小計キー３ｄ等の各種キーが設けられている。また、キーボード３の一部には、本実施の形態における特有のキーとして、「クレジット」キー３ｅ、「クレジットテーブル」キー３ｆ、が設けられている。「クレジット」キー３ｅは、クレジット決済を宣言するとともにクレジット手数料を含んだクレジット登録を行なうためのキーであり、「クレジットテーブル」キー３ｆは、後述するクレジット手数料のレート設定時に用いられるキーである。
【００１１】
次に、ＰＯＳ端末１に備えられる各部の電気的接続を図３に基づいて説明する。図３に示すように、このＰＯＳ端末１は、マイクロコンピュータ（以下、マイコンという）１１を備えており、このマイコン１１によってＰＯＳ端末１が備える各部を駆動制御する。マイコン１１は、各部を集中的に駆動制御するＣＰＵ（Ｃｅｎｔｒａｌ　Ｐｒｏｃｅｓｓｉｎｇ　Ｕｎｉｔ）１２に、アドレスバス、データバス等のバスライン１３を介して、起動プログラム等の固定的データを予め格納するＲＯＭ（Ｒｅａｄ　Ｏｎｌｙ　Ｍｅｍｏｒｙ）１４と、可変的なデータを書き換え自在に記憶してＣＰＵ１２のワークエリアとして機能するＲＡＭ（Ｒａｎｄｏｍ　Ａｃｃｅｓｓ　Ｍｅｍｏｒｙ）１５とが接続されて構成されている。なお、ＲＡＭ１５は、バッテリ（図示せず）によりバックアップされている。このマイコン１１が、前述したキーボード３、コントロールキー４、プリンタ５、ディスプレイ８、客側ディスプレイ９、バーコードスキャナ１０等の各部をバスライン１３と各種制御回路（図示せず）とを介して駆動制御する。
【００１２】
また、マイコン１１にはバスライン１３を介してカード用Ｉ／Ｆ１６が接続されており、このカード用Ｉ／Ｆ１６によりＰＯＳ端末１に対してカード処理端末２０を接続可能にしている。
【００１３】
さらに、マイコン１１にはバスライン１３を介して通信Ｉ／Ｆ１７が接続されており、この通信Ｉ／Ｆ１７を介してクレジット会社のサーバコンピュータ（図示せず）との間で相互にオンライン通信を実行し得るように構成されている。
【００１４】
加えて、マイコン１１に接続されたバスライン１３には記憶媒体であるＨＤＤ（Ｈａｒｄ　Ｄｉｓｋ　Ｄｒｉｖｅ）１８が接続されており、このＨＤＤ１８にはＣＰＵ１２を動作させる制御プログラムや売上ファイル、商品マスタファイル等が格納されている。特に図示しないが、売上ファイルは、売上明細や合計金額等の売上処理に係る売上データを記憶保持するファイル構造を備える。また、商品マスタファイルは、商品の商品コード毎に商品名、単価、部門コード等を対応付けて記憶保持するファイル構造を備える。
【００１５】
ＲＡＭ１５は、各種データを書き換え自在に格納する機能を利用してワークエリアとして機能するものである。ＲＡＭ１５には、図３に示すように、取引メモリエリア１５ａ、手数料レートテーブルエリア１５ｂ、ワークメモリエリア１５ｃが形成される。
【００１６】
取引メモリエリア１５ａについて図４を参照して説明する。図４に示すように、取引メモリエリア１５ａには、プリンタ５によって印字発行される取引レシートの印字データや、ＨＤＤ１８の売上ファイルに格納される売上データの基礎となる取引データが格納される。この取引データは、売上処理に係る商品毎に対応付けられる各種データ（商品コード、名称、金額、点数）や、後述するクレジット手数料、合計金額、支払い種別等で構成されている。
【００１７】
手数料レートテーブルエリア１５ｂについて図５を参照して説明する。図５に示すように、手数料レートテーブルエリア１５ｂには、クレジット決済の際のクレジット手数料の算出に用いられる手数料レートデータが格納される。
【００１８】
ワークメモリエリア１５ｃについて図６を参照して説明する。図６に示すように、ワークメモリエリア１５ｃには、クレジット決済の際のクレジット手数料を格納する手数料セーブエリアａ、クレジット手数料を含む支払い合計金額を格納する支払い額セーブエリアｂ、フラグエリアｃが設けられている。
【００１９】
次に、ＨＤＤ１８に格納された制御プログラムがＣＰＵ１２に実行させる機能について説明する。起動後のＰＯＳ端末１では、コントロールキー４の切り換え位置に応じて動作モードが選択される。つまり、コントロールキー４の切り換え位置によって発生する出力信号に応じ、ＣＰＵ１２がＰＯＳ端末１の動作モードを登録モード、設定モード、精算モード、点検モード等に設定する。本実施の形態においては、各モードの処理について従来のＰＯＳ端末によって行なわれる処理と同様の処理についてはその説明を省略する。
【００２０】
まず、設定モードにおける手数料レート設定処理について説明する。ここで、図７は設定モードにおける手数料レート設定処理の流れを概略的に示すフローチャートである。手数料レート設定処理は、クレジット決済の際のクレジット手数料の算出に用いられる手数料レートを手数料レートテーブルエリア１５ｂに設定するための処理であって、コントロールキー４の切り換え操作によって設定モードに設定されたことを条件として実行される。この手数料レート設定処理は、まず、「クレジットテーブル」キー３ｆの操作に待機する（ステップＳ１）。「クレジットテーブル」キー３ｆが操作された場合には（ステップＳ１のＹ）、ステップＳ２において、置数キー３ｂの操作による入力に待機する。そして、置数キー３ｂにより入力があった場合には（ステップＳ２のＹ）、置数キー３ｂにより入力された置数を手数料レートテーブルエリア１５ｂに順次セットして手数料レートとする（ステップＳ３）。再度「クレジットテーブル」キー３ｆが操作されるまで（ステップＳ４のＹ）、これらステップＳ２〜Ｓ３の処理が繰り返されることにより、支払い時の手数料計算に使用するための手数料レートが設定されることになる。以上により、レート設定手段の機能が実行される。
【００２１】
続いて、登録モードにおける売上処理について説明する。ここで、図８は登録モードにおける売上処理の流れを概略的に示すフローチャートである。売上処理は、コントロールキー４の切り換え操作によって登録モードに設定されていることを条件として実行される。
【００２２】
図８に示すように、売上処理としては、まず、売上商品についてのバーコードスキャナ１０による商品コードの読み取りやキーボード３の置数キー３ｂによる商品コードの入力、及びキーボード３の置数キー３ｂによる販売個数の入力に待機する（ステップＳ１１）。バーコードスキャナ１０による商品コードの読み取り、及びキーボード３のキー操作による販売個数の入力等があったと判断されると（ステップＳ１１のＹ）、ステップＳ１２において売上登録処理が実行される。この売上登録処理では、入力された商品コードに基づいて商品マスタファイルを検索することにより得られた商品名や単価等に基づく取引データがＲＡＭ１５の取引メモリエリア１５ａに記憶され、その単価等の取引情報がディスプレイ８，９に表示される。加えて、ここまでの取引データに基づく売上げ合計額が算出され、ディスプレイ８，９に表示される。
【００２３】
このようなステップＳ１１〜Ｓ１２の処理は、キーボード３の預／現計キー３ｃ又は「クレジット」キー３ｅの操作により締め処理が宣言されるまで（ステップＳ１３のＹ，ステップＳ１４のＹ）、繰り返される。
【００２４】
預／現計キー３ｃの操作により現金決済による締め処理が宣言された場合には（ステップＳ１４のＹ）、預／現計キー３ｃの操作前に置数キー３ｂの操作による預り額の入力が有ったか否かを判断する（ステップＳ１５）。
【００２５】
預／現計キー３ｃの操作前に置数キー３ｂの操作による預り額の入力が無かった場合には（ステップＳ１５のＮ）、合計額を読み込み（ステップＳ１６）、ステップＳ１７に進む。ここで、合計額は、クレジット決済をしていない場合には売上げ合計額、既にクレジット決済をしている場合には売上げ合計額からクレジット決済金額を引いた残金の額である。ここに、クレジット差額決済手段が実現されている。
【００２６】
一方、預／現計キー３ｃの操作前に置数キー３ｂの操作による預り額の入力が有った場合には（ステップＳ１５のＹ）、合計額及び預り額を読み込んだ後（ステップＳ１８）、預り額と合計額とを比較する（ステップＳ１９）。預り額が合計額よりも少ない場合には（ステップＳ１９のＹ）、現金のみによる決済が不可能なので、その旨をディスプレイ８及び客側ディスプレイ９に表示して報知する等のエラー処理を実行し（ステップＳ２０）、ステップＳ１７に進む。預り額が合計額と同じか多い場合には（ステップＳ１９のＮ）、現金のみによる決済が可能なので、そのままステップＳ１７に進む。
【００２７】
そして、売上げ合計額と支払い合計額（クレジット決済額及び現金決済額）との差額を算出した後（ステップＳ１７）、現金決済するとともに現金決済による支払い額をプリンタ５により印字し（ステップＳ２１）、ステップＳ２２に進む。
【００２８】
ステップＳ２２では、ステップＳ１７での算出結果に基づいて、売上げ合計額と支払い合計額（クレジット決済額及び現金決済額）との差額（残金）が有るか否かを判断する。残金がある場合には（ステップＳ２２のＹ）、再度キーボード３の預／現計キー３ｃ又は「クレジット」キー３ｅの操作に待機する（ステップＳ１３のＹ，ステップＳ１４のＹ）。
【００２９】
一方、残金がない場合には（ステップＳ２２のＮ）、決済が終了しているので、ロングレシート処理を実行し（ステップＳ２３）、処理を終了する。
【００３０】
「クレジット」キー３ｅの操作によりクレジット決済による締め処理が宣言された場合には（ステップＳ１３のＹ）、まず、「クレジット」キー３ｅの操作が、初回であるか否かを判断する（ステップＳ２４）。
【００３１】
「クレジット」キー３ｅの操作が初回であるか否かを、ワークメモリエリア１５ｃのフラグエリアｃに基づいて判断する（ステップＳ２４）。ワークメモリエリア１５ｃのフラグエリアｃのフラグが“０”である場合には、「クレジット」キー３ｅの操作が初回であると判断し（ステップＳ２４のＹ）、ステップＳ２５に進み、「クレジット」キー３ｅの操作前に置数キー３ｂの操作によるクレジットカードによる支払い額の入力が有ったか否かを判断する（ステップＳ２５）。
【００３２】
「クレジット」キー３ｅの操作前に置数キー３ｂの操作によるクレジットカードによる支払い額の入力が無かった場合には（ステップＳ２５のＮ）、合計額を読み込み（ステップＳ２６）、ステップＳ２７に進む。ここで、合計額は、現金決済をしていない場合には売上げ合計額、既に現金決済をしている場合には売上げ合計額から現金決済金額を引いた残金の額である。
【００３３】
一方、「クレジット」キー３ｅの操作前に置数キー３ｂの操作によるクレジットカードによる支払い額の入力が有った場合には（ステップＳ２５のＹ：クレジット決済金額指定手段）、合計額及びクレジットカードによる支払い額を読み込んだ後（ステップＳ２８）、クレジットカードによる支払い額と合計額とを比較する（ステップＳ２９）。クレジットカードによる支払い額が合計額よりも多い場合には（ステップＳ２９のＹ）、その旨をディスプレイ８及び客側ディスプレイ９に表示して報知する等のエラー処理を実行する。クレジットカードによる支払い額が合計額と同じか少ない場合には（ステップＳ２９のＮ）、クレジット決済が可能なので、そのままステップＳ２７に進む。
【００３４】
そして、ステップＳ２７においては、クレジット支払い額に応じたクレジット手数料を算出し、ワークメモリエリア１５ｃの手数料セーブエリアａにセーブする。クレジット支払い額に応じたクレジット手数料は、クレジットカードによる支払い額が指定されている場合には、その指定された支払い額に対して手数料レートテーブルエリア１５ｂにセットされている手数料レートを乗算し、クレジットカードによる支払い額が指定されていない場合には、合計額に対して手数料レートテーブルエリア１５ｂにセットされている手数料レートを乗算する。ここに、手数料算出手段の機能が実行される。
【００３５】
その後、支払い額または合計額に対してステップＳ２７で算出したクレジット手数料を加算した支払い合計額を算出し、当該支払い合計額をディスプレイ８及び客側ディスプレイ９に表示して報知するとともに、当該支払い合計額をワークメモリエリア１５ｃの支払い額セーブエリアｂにセーブし（ステップＳ３０：手数料加算手段）、ワークメモリエリア１５ｃのフラグエリアｃのフラグを“１”にセットし（ステップＳ３１）、再度キーボード３の預／現計キー３ｃ又は「クレジット」キー３ｅの操作に待機する（ステップＳ１３のＹ，ステップＳ１４のＹ）。
【００３６】
この状態で、２回目の「クレジット」キー３ｅの操作があった場合には（ステップＳ１３のＹ，ステップＳ２４のＮ）、ワークメモリエリア１５ｃの手数料セーブエリアａにセーブされているクレジット手数料と、ワークメモリエリア１５ｃの支払い額セーブエリアｂにセーブされている支払い合計額とを読み出し（ステップＳ３２）、合計額にクレジット手数料を加算する（ステップＳ３３）。そして、売上げ合計額と支払い合計額（クレジット決済額及び現金決済額）との差額を算出した後（ステップＳ３４）、クレジット決済するとともにクレジット決済による支払い額及びクレジット手数料をプリンタ５により印字し（ステップＳ３５：クレジット決済手段）、ステップＳ３６に進む。
【００３７】
ステップＳ３６では、ステップＳ３４での算出結果に基づいて、売上げ合計額と支払い合計額（クレジット決済額及び現金決済額）との差額（残金）が有るか否かを判断する。残金がある場合には（ステップＳ３６のＹ）、再度キーボード３の預／現計キー３ｃ又は「クレジット」キー３ｅの操作に待機する（ステップＳ１３のＹ，ステップＳ１４のＹ）。
【００３８】
一方、残金がない場合には（ステップＳ３６のＮ）、決済が終了しているので、ロングレシート処理を実行し（ステップＳ３７）、処理を終了する。
【００３９】
より具体例を挙げて説明すると、例えば、３０，０００円の製品と１，０００円の付属品を購入し、現金で２１，０００円を支払い、残り１０，０００円をクレジットカードで支払う場合は、総買い上げ額は３１，０００円であるが、１０，０００円分の手数料５００円（手数料レート：０．０５）がさらに加算され、総支払い額は３１，５００円となる（図９（ａ）参照）。
【００４０】
また、２５，０００円の製品と５，０００円の付属品を購入し、クレジットカードで３０，０００円を支払う場合は、３０，０００円分の手数料１，５００円（手数料レート：０．０５）がさらに加算され、総支払い額は３１，５００円となる（図９（ｂ）参照）。
【００４１】
ここに、売上合計金額についての一部金額をクレジット決済する場合には、売上合計金額についての一部金額が支払い金額として指定されると、当該支払い金額についてのクレジット手数料が算出され、支払い金額とクレジット手数料とを加算したクレジット支払い金額に基づいてクレジット決済が実行される。また、クレジット支払い金額が、売上合計金額とクレジット手数料とを加算した額よりも少ない場合には、その差額について現金決済が実行される。これにより、売上合計金額の全額についてのクレジット手数料のみならず、売上合計金額の一部金額についてのクレジット手数料の算出も可能になるとともに、差額分については現金決済が可能になるので、売上合計金額の全額または一部金額についてのクレジット決済に際し、顧客側からクレジット支払い金額に応じたクレジット手数料を徴収することができる。
【００４２】
なお、本実施の形態では、クレジットカードによる支払い額に拘わらず手数料レートを一定にして説明したが、これに限るものではない。例えば、クレジットカードによる支払い額に応じて手数料レートを変動させるようにしても良い。この場合には、手数料レートテーブルエリア１５ｂにクレジットカードによる支払い額に応じた手数料レートをセットし、クレジットカードによる支払い額に応じて手数料レートを検索するようにすれば良い。
【００４３】
また、本実施の形態では、制御プログラムがＨＤＤ１８に格納されていたが、これに限るものではなく、フレキシブルディスク、ＣＤ−ＲＯＭ（いずれも図示せず）等の各種記憶媒体に制御プログラムを格納しても良い。なお、フレキシブルディスク、ＣＤ−ＲＯＭは、ＰＯＳ端末１に固定的に設けられておらず、単体で取り扱える交換自在な記憶媒体としての形態を備え、フレキシブルディスクドライブやＣＤ−ＲＯＭドライブ（いずれも図示せず）を用いることによって制御プログラムを読み出すことでマイコン１１による各種処理が可能になる。
【００４４】
【発明の効果】
本発明によれば、売上合計金額の全額または一部金額についてのクレジット決済に際し、顧客側からクレジット支払い金額に応じたクレジット手数料を徴収することができる。
【図面の簡単な説明】
【図１】本発明の実施の一形態のカード処理端末を接続したＰＯＳ端末を概略的に示す外観斜視図である。
【図２】キーボードのキー配置を示す平面図である。
【図３】ＰＯＳ端末に備えられる各部の電気的接続を示すブロック図である。
【図４】取引メモリエリアを模式的に示す説明図である。
【図５】手数料レートテーブルエリアを模式的に示す説明図である。
【図６】ワークメモリエリアを模式的に示す説明図である。
【図７】設定モードにおける手数料レート設定処理の流れを概略的に示すフローチャートである。
【図８】登録モードにおける売上処理の流れを概略的に示すフローチャートである。
【図９】具体例におけるレシートを示す平面図である。
【符号の説明】
１…商品販売データ処理装置、１１…コンピュータ
【図１】
2004030095.tif 000003
【図２】
2004030095.tif 000004
【図３】
2004030095.tif 000005
【図４】
2004030095.tif 000006
【図５】
2004030095.tif 000007
【図６】
2004030095.tif 000008
【図７】
2004030095.tif 000009
【図８】
2004030095.tif 000010
【図９】
2004030095.tif 000011